(57)【特許請求の範囲】
【請求項１】
それぞれ１つの電極先端（１２）を備えた２個の点火電極（７）を有し、点火電圧の印加時に前記２個の点火電極の電極先端（１２）にてガスタービン点火用のフラッシオーバーが生ずるように設定されたガスタービン用バーナ（２）であって、
前記点火電極（７）が、筒状のバーナ（２）であってその長手軸線に沿って燃料供給路が設けられたバーナ（２）の外側面上に、当該バーナ（２）の前記長手軸線に沿って棒状又は管状に延びるように配置されており、かつ、前記電極先端（１２）が前記燃料供給路の終端の燃料流出口の部分に位置しており、
前記点火電極（７）の、少なくとも、点火部位である前記電極先端（１２）に向かっている部位あるいは点火部位である前記電極先端（１２）から離れている部位を、損傷又は曲がりから保護するための保護要素（８）として、前記バーナ（２）の外側面上に、前記点火電極（７）の配置されている高さを越えて突出する少なくとも１つのリブが付設されており、
前記リブ（８）と前記点火電極（７）との間隔が、少なくとも、前記点火電極（７）への前記点火電圧の印加時に前記リブ（８）と前記点火電極（７）との間でフラッシオーバーが生じない大きさに設定されている
ことを特徴とするガスタービン用バーナ。
【請求項２】
前記リブ（８）が、前記点火電極（７）に対して平行に延びている
ことを特徴とする請求項１記載のガスタービン用バーナ。
【請求項３】
前記点火電極の両側に沿って、それぞれ少なくとも１つの前記リブ（８）が存在している
ことを特徴とする請求項１又は２記載のガスタービン用バーナ。
【請求項４】
前記リブ（８）が、耐衝撃性の材料からなるものである
ことを特徴とする請求項１から３のいずれか１つに記載のガスタービン用バーナ。
【請求項５】
前記バーナ（２）が、主バーナー（１）のパイロットバーナとして形成されたものである
ことを特徴とする請求項１から４のいずれか１つに記載のガスタービン用バーナ。
【請求項６】
前記リブ（８）が、前記２つの点火電極（７）における前記電極先端（１２）に通じている部位にのみ付設されている
ことを特徴とする請求項１から５のいずれか１つに記載のガスタービン用バーナ。
【請求項７】
請求項１から６のいずれか１つに記載のガスタービン用バーナ（２）であって、当該ガスタービン用バーナ（２）が回転対称形であり、少なくとも１つの前記点火電極（７）が、当該ガスタービン用バーナ（２）の対称軸線に対して平行に延びている
ことを特徴とするガスタービン用バーナ。
【請求項８】
請求項１から７のいずれか１つに記載のガスタービン用バーナ（２）を備えている
ことを特徴とするガスタービン。
【発明の詳細な説明】
【技術分野】
【０００１】
本発明は点火器と少なくとも１個の点火電極とを備えたバーナに関し、特にガスタービンのバーナとして組み込まれるバーナに関する。
【背景技術】
【０００２】
点火器とこの点火器に通じる複数の点火電極とを備えたパイロットバーナとして形成されたバーナは、例えば欧州特許第０１９３８３８号明細書に記載されている。その点火器は燃料を点火する目的を有する。点火電極はパイロットバーナの長手軸線に対して平行に延び、その外側に固定されている。燃料供給路はパイロットバーナの内部に存在し、燃料流出開口で終っている。点火電極は燃料流出開口の部分で終り、そこに流出する燃料を点火火花によって着火する。その点火火花は２個の点火電極間の点火電圧によって発生され、全点火時間中にわたり存在する。
【０００３】
パイロットバーナに設けられた両点火電極の一方あるいは両方に輸送中や組立中に生じた損傷あるいは曲がりは、点火電極の点火性能に不利な影響を与える。従って、その損傷や曲がりが生じたときには点火電極の取替えが必要となる。
【０００４】
電極先端間ではなく、1本の電極導線と他の金属部品との間で、フラッシオーバーが生じ、このために、混合気が発火されなくなるほど大きく電極が曲げられたときも、点火電極の取替えが必要となる。
【０００５】
米国特許第２８５００８４号明細書、米国特許第５８６０８０４号明細書および米国特許第５８６５６５１号明細書に、点火電極の大きな抵抗による点火電極加熱によって点火が行われ、即ち、点火が熱的に行われる点火電極を備えた点火器が記載されている。その点火方式は以下において熱的点火と呼ぶ。例えばフラッシオーバーによる電子式あるいは電気式点火方式は米国特許第５８６０８０４号明細書にしか記載されていない。
【０００６】
点火電極における点火が行われる近くの部位を保護するために、米国特許第２８５００８４号明細書、米国特許第５８６０８０４号明細書および米国特許第５８６５６５１号明細書に種々の保護要素や保護被覆が開示されている。それらの保護被覆は、発生する火炎の中に保護被覆が突出し、点火電極の点火部位を特に考え得る汚れや損傷から保護することにより特徴づけられている。点火部位に繋がる点火電極の部位、即ち、点火部位に向かっている部位あるいは点火部位から離れている部位は、その保護要素で保護されていない。
【０００７】
米国特許第４０２９９３６号明細書、米国特許第６７７７６５０号明細書および米国特許第３８２３３４５号明細書にも、点火電極付き点火器が記載されている。それらの点火器の場合、少なくとも点火部位に繋がる点火電極の部位、即ち、点火部位に向かっている部位あるいは点火部位から離れている部位も、いずれにせよ部分的にケースで取り囲まれている。しかしそれらの点火器は専ら熱的点火器である。またそれらの点火器はガスタービン用バーナにおける点火器ではない。
尤も、上述の米国特許第２８５００８４号明細書（特許文献１）、米国特許第５８６０８０４号明細書（特許文献２）、米国特許第５８６５６５１号明細書（特許文献３）、米国特許第４０２９９３６号明細書（特許文献４）、米国特許第６７７７６５０号明細書（特許文献５）および米国特許第３８２３３４５号明細書（特許文献６）には、いずれも、ガスタービン用バーナは開示されていない。ガスタービン用バーナの枠内で利用され点火火花により点火する点火電極は、熱的点火器の点火電極に比べて、考え得る曲がりによってその性能が容易に影響を受ける。
【先行技術文献】
【特許文献】
【０００８】
【特許文献１】米国特許第２８５００８４号明細書
【特許文献２】米国特許第５８６０８０４号明細書
【特許文献３】米国特許第５８６５６５１号明細書
【特許文献４】米国特許第４０２９９３６号明細書
【特許文献５】米国特許第６７７７６５０号明細書
【特許文献６】米国特許第３８２３３４５号明細書
【発明の概要】
【発明が解決しようとする課題】
【０００９】
本発明の課題は、上述した問題が全く生じないかあるいはほんの僅かしか生じない、少なくとも１個の点火電極を備えたガスタービン用バーナを提供することにある。本発明のもう１つの課題は、有利なガスタービン用バーナを備えたガスタービンを提供することにある。
【課題を解決するための手段】
【００１０】
上述の課題は、特許請求の範囲に記載の特徴を有するガスタービン用バーナおよびガスタービンによって解決される。そのガスタービン用バーナは特にパイロットバーナとして形成される。
【００１１】
上述の課題の解決策は、本発明に基づいて、バーナがその外側面に沿って延びる少なくとも１個の点火電極を装備し、その点火電極にバーナの外側面および点火電極を越えて突出する保護要素が付設されていることにある。本発明に基づくガスタービンは、かかるガスタービン用バーナが装備されている。
【００１２】
本発明に基づく解決策の利点は、複数の点火電極が保護され、これにより、点火電極の輸送中ないし組立中における損傷が防止されることにある。確かに欧州特許第０１９３８３８号明細書に、バーナを備えたガスタービンの燃焼器が記載されているが、そこではバーナの点火電極に保護要素は装備されていない。
【００１３】
なお、本発明の有利な実施態様は、従属請求項に記載されている。
【００１４】
また、本発明の有利な実施態様においては、例えば、保護要素は、バーナの外側面に結合され、これによって、必要な安定性が保証されることが可能である。
【００１５】
他の有利な実施態様は、保護要素が複数の点火電極を包囲し、その点火電極が少なくともその長さの一部にわたり覆われていることにあり、これによって、少なくとも１個の点火電極が最良に保護されることが可能である。
【００１６】
また、保護要素は断面Ｕ状に形成され、開口側がバーナの外側面に固定されている。これによって、点火電極は三方面が外側に向けて保護される。保護要素は、複数の点火電極を、その少なくとも電極先端近くの前部部位において包囲しているようにすることが可能である。
【００１７】
あるいはまた、保護要素は、少なくとも１つのリブで形成することができ、これによって、点火電極への良好な接近性が保証されるようにすることが可能である。そのリブは、点火電極に対して平行に延びるようにすることが可能である。点火電極の両側面にそれぞれ少なくとも１つのリブが存在するようにすることもできる。
【００１８】
好適には、保護要素は曲がりにくく耐衝撃性の材料で作られ、これによって、内部に位置する点火電極を変形させてしまう保護要素の変形を防止することができる。
【００１９】
他の有利な実施態様は、点火電極と保護要素との間のフラッシオーバーが確実に防止されるようにするために、保護要素と点火電極との距離が、少なくとも、点火電極への点火電圧の印加時に保護要素と点火電極との間でフラッシオーバーが生じないような大きさであることにある。
【００２０】
また、ガスタービン用バーナは、それぞれ１つの電極先端を備えた２個の点火電極を有することができる。この場合、点火は、両点火電極間における点火電圧の印加時の電極先端におけるフラッシオーバーによって行われる。即ち、その点火は、熱的に生じさせられるのではない。確かに、米国特許第５８６０８０４号明細書および米国特許第５８６５６５１号明細書には、全般的に熱的点火器とは異なった点火器についても述べられているが、それらの文献には、両電極間でフラッシオーバーが生ずる点火器は記載されていない。他の上述した文献には、熱的点火器しか記載されていない。
【００２１】
本発明に基づく保護要素は、好適には、点火電極における電極先端に通じている部位に付設することができる。即ち、この場合、保護要素は電極先端まで到達せず、また電極先端より突き出してもいない。むしろ、点火電極のガスタービン用バーナの外側面に沿って延びる部位が保護され、換言すれば、電極先端における本来の点火部位への導線だけが保護される。
【００２２】
さらに、本発明に基づくガスタービン用バーナは、基本的には、回転対称形であり、バーナ外側面に沿って延びる少なくとも１個の点火電極が、ガスタービン用バーナの対称軸線に対して平行に延びている。
【００２３】
本発明に基づくガスタービンは、上述したいずれかの形態の本発明に基づくガスタービン用バーナが装備されることができる。
【図面の簡単な説明】
【００２４】
【図１】点火電極付きバーナの断面図。
【図２】断面Ｕ形で点火電極の前部を包囲する１つの保護要素と複数の点火電極とを備えたバーナの斜視図。
【図３】複数の点火電極に対して平行に延びる複数のリブで形成された１つの保護要素と複数の点火電極とを備えたバーナの斜視図。
【発明を実施するための形態】
【００２５】
以下の図を参照した実施例の説明から、本発明の他の特徴、特性および利点が理解できる。
【００２６】
図１に示されたバーナ装置は本発明の好適な用途分野であるガスタービン設備に属する。しかしこのバーナ装置は気体燃料燃焼式のボイラにも適用できる。
このバーナ装置は支持板（図１には図示せず、図２と図３参照）に固定された少なくとも１つの第１バーナ２と第２バーナ１から成り、その第１バーナ２はパイロットバーナとして用いられ、第２バーナ１は主バーナとして用いられ、その中心部に第１バーナ２が同軸的に配置されている。第１バーナ２は旋回羽根３付きのバーナヘッド４を有し、燃料として天然ガスＥおよび／又は燃料油Ｈで運転することができる。第１バーナ２のバーナヘッド４はバーナ軸線に関して同軸的に空気供給路６によって取り囲まれている。その空気供給路６はバーナヘッド４の下流に形成される燃焼域（図示せず）に燃焼空気Ｌの大部分を供給するために用いられる。ガスタービン設備の圧縮機によって加圧燃焼空気Ｌが環状隙間に導入される。高温燃焼ガスがタービン翼に向けて流れる。
【００２７】
主バーナとして用いられる第２バーナ１は、パイロットバーナとして用いられる第１バーナ２によって補足され、即ち、天然ガス燃料運転時にパイロットバーナによる始動後および暖機後に、ＮＯｘ値が低い主バーナ運転に切り換えることができる。その場合、第１バーナ２は火炎を安定するのに役立つ。
【００２８】
第２バーナは複数のノズル管５と１つの空気供給路６を有している。これらのノズル管は燃料供給管系（図示せず）に接続され、供給された燃焼空気Ｌと石油、天然ガスあるいは他の気体燃料や液体燃料とを混合するために用いられる。空気供給路６は燃焼空気Ｌを場合によっては混合済み燃料と共に火炎域に導く。
【００２９】
第１バーナ２に供給された空気・燃料混合気の点火は、２個の点火電極７を備えた棒状あるいは管状の電極装置を介して行われる。それらの点火電極７は主に第１バーナ２の軸線に対して平行に延びている。しかし、点火電極７で貫通されている支持板９の部位においては、第１バーナの外側壁から点火電極７までの距離はあきらかにより大きい。点火電極７の相互間隔も支持板の範囲において、第１バーナ２の外側壁の範囲におけるよりも大きい。これらの点火電極は第１バーナ２の外側面における接続部材１１に固定されている。
【００３０】
図２に、本発明に基づくバーナの実施例として、バーナ長手方向に延びる２個の点火電極７がバーナ外側壁に設けられているバーナ２が示されている。そのバーナ２は特に図１で述べたバーナ装置における第１バーナとして用いることができる。
【００３１】
バーナ２の複数の点火電極は１つの保護要素８によって覆われている。この実施例においてその保護要素８はＵ形に曲げられた薄板８として形成されている。この薄板８の脚部は両側にそれぞれバーナ２の外側壁に固定される折り曲げ部位を有している。その固定１０は、必要に応じて点火電極７に近づくことができるようにするために、有利には解除可能な適切な固定要素例えばねじによって行われる。基本的には、解除可能な固定要素の代わりに、解除不能な継手例えば溶接継手も利用できる。Ｕ形薄板８は点火電極７の少なくとも前方部位に、即ち、電極先端１２の近くに位置する部位にわたり延びている。
【００３２】
この薄板８は耐衝撃性を有し曲がりにくい材料、例えば鋼板でできている。この薄板８の点火電極７からの間隔は少なくとも、両点火電極７に点火電圧が印加された時に保護薄板８と点火電極７との間にフラッシオーバーが生じないような大きさでなければならない。この間隔の具体的な値は、点火電極７と保護薄板８との間の媒体のフラッシオーバー耐量および点火電極の幾何学的形状と点火電圧を印加する際の温度に依存する。空気を媒体とするこの実施例では、点火電圧が５ｋVの場合には最小でも５ｍｍの安全間隔が保たれねばならない。
【００３３】
図３はバーナ外側壁に２個の点火電極７が設けられたバーナ２を示している。このバーナ２も、特に図１に関連して述べたバーナ装置の第１バーナとして用いることができる。
【００３４】
図３に示されたバーナ２の両点火電極７の左右をそれぞれ縦リブ８が延びている。それらの縦リブ８は、点火電極７が衝突から保護されるように、バーナ２の外側表面から点火電極７を越えて突出している。それらの縦リブ８はバーナ２の外側壁に固く結合されている。その固定１０は例えば溶接やろう付けによって行うことができる。確かに、縦リブ８とバーナ２との例えばねじによる解除可能な結合も行えるが、この電極装置の場合、点火電極７への接近がほとんど制限されず、従って、電極７に接近するためにリブ８を取り外す必要がないので、解除不能な継手も十分に利用できる。
【００３５】
そのリブ８は、第１実施例の薄板と同様に、例えば鋼のような耐衝撃性を有する曲がりにくい材料で作られる。リブと点火電極７との間隔は、点火電極とリブとの間でフラッシオーバーが生じないようにするために、点火電圧が５ｋＶである場合、少なくとも５ｍｍにする。
【００３６】
なお、本件出願書類および特に従属請求項で述べられたすべての特徴事項は、１つあるいは複数の請求項に従属先が特定されているけれど、個々にあるいは相互の任意の組合せにも独自の特許保護が与えられるべきである。
【符号の説明】
【００３７】
１    第２バーナ（主バーナ）
２    第１バーナ（パイロットバーナ）
７    点火電極
８    保護要素（薄板、リブ）
【図１】
0005484436.tif 000002
【図２】
0005484436.tif 000003
【図３】
0005484436.tif 000004